(57)【要約】キャビネットを備えた投写型ディスプレイであって、キャビネットは、外側面及び内側面を備えた背壁、キャビネットを支持する２つの支持アームを有する。支持アームは、キャビネットの背壁の外側面に沿って垂直に延在し且つミラーの幅と略等しい距離の分、離間する。キャビネットは、ミラーを設置するための支持アームに近接する背壁の内側面に形成される４つの隆起パッドを有し、且つミラーは、４つのパッドに対してバイアスがかけられて、それにより垂直位置に保持される。
2007535874.tif 000002
【特許請求の範囲】
【請求項１】
投写型ディスプレイであって：
外側面及び内側面を備える背壁を有するキャビネットと；
該キャビネットを支持する２つの支持アームであり、前記キャビネットの前記背壁の前記外側面に沿って垂直に延在し且つ或る距離をおいて離間される、ところの２つの支持アームと；
前記距離の分の幅を略有し前記キャビネットにおいて垂直に配置されるミラーと；
を有し、
前記キャビネットは、前記ミラーを設置するための前記支持アームに近接した前記背壁の前記内側面に形成される４つの隆起パッドを有し、且つ前記ミラーは前記４つのパッドに対してバイアスがかけられる、
ところの投写型ディスプレイ。
【請求項２】
前記ミラーは４つの角部を有する長方形の形状であり且つ前記のマウンティングパッドは前記ミラーの前記４つの角部に近接して設置される、
請求項１記載の投写型ディスプレイ。
【請求項３】
前記パッドは、前記ミラーの短い側部に沿った前記キャビネットの壁の中間面より１ｍｍ乃至２ｍｍ上の高さまで隆起する、
請求項２記載の投写型ディスプレイ。
【請求項４】
前記パッドは、前記ミラーの長い側部に沿った前記キャビネットの壁の中間面より２ｍｍ乃至３ｍｍ上の高さまで隆起する、
請求項２記載の投写型ディスプレイ。
【請求項５】
前記ミラーは、複数の弾性的な圧縮性部材によって前記パッドに対してバイアスをかけられる、
請求項１記載の投写型ディスプレイ。
【請求項６】
前記弾性的な圧縮性部材はフォームクッションを含む、
請求項５記載の投写型ディスプレイ。
【請求項７】
前記弾性的な圧縮性部材は、前記ミラーに対して前記パッドとは反対側に位置付けられる、
請求項５記載の投写型ディスプレイ。
【請求項８】
前記弾性的な圧縮性部材は、前記キャビネットへ固定されるブラケットによって圧縮される、
請求項７記載の投写型ディスプレイ。
【請求項９】
２つの支持アームを有する投写型ディスプレイのための垂直ミラーマウンティング構成であり、前記２つの支持アームはキャビネットの背壁の外側面に沿って固定され且つ垂直に延在し且つ前記ミラーの幅と略等しい距離をおいて離間される、ところの垂直ミラーマウンティング構成であって：
ミラーを設置するための前記支持アームに近接した前記背壁の内側面上に形成される４つの個別の隆起パッドと、対応して設置される弾性的な圧縮性バイアス部材との間に挟まれる当該ミラー、
を有する、
ところの垂直のミラーマウンティング構成。
【請求項１０】
前記パッドは、前記ミラーの短い側部に沿った前記キャビネットの壁の中間面より１ｍｍ乃至２ｍｍ上の高さまで隆起する、
請求項９記載のマウンティング構成。
【請求項１１】
前記パッドは、前記ミラーの長い側部に沿った前記キャビネットの壁の中間面より２ｍｍ乃至３ｍｍ上の高さまで隆起する、
請求項９記載のマウンティング構成。
【請求項１２】
前記弾性的な圧縮性部材はフォームクッションを含む、
請求項９記載のマウンティング構成。
【請求項１３】
前記弾性的な圧縮性部材は、前記キャビネットへ固定されるブラケットによって圧縮される、
請求項９記載のマウンティング構成。
【請求項１４】
前記ミラーの下縁部は、前記の各支持アームに近接するパッドによって局所的に支持される、
請求項９記載のマウンティング構成。
【発明の詳細な説明】
【技術分野】
【０００１】
本出願は、２００４年４月３０日に出願された米国仮特許出願第６０／５６７，０４７号明細書、発明の名称「ミラーを投写型ディスプレイに保持する取り付けシステム」の優先権を主張し、その全体を参照により本明細書に引用する。
【０００２】
本発明は、概して投写型ディスプレイに係り、特に、投写型ディスプレイスクリーンのミラーマウントシステムに係る。
【背景技術】
【０００３】
上方に角度付けられた光学系を備えた、幾つかの新しい薄型の投写型テレビジョンが、大型のミラーを含む。ミラーは、スクリーンと平行するテレビジョンキャビネットの後部に位置付けられる。光が、ライトエンジンから上方の角度で投影される。ライトエンジンは、投影された像を見るためスクリーンの高さより下に配置される。この光は、ミラーに反射してスクリーン上に届き、可視の像を形成する。ミラーは、適度に平坦又は平面のままでなくてはならず、且つ落下試験に耐えなければならない。このミラーを、所定の位置にできるだけ維持することも重要である。何故なら、少しの移動又は転位であっても、投影経路の角度により、可視の像の著しい変形を引き起こし得るからである。
【０００４】
以前の投写型ディスプレイは、角度付けられたミラーを含むが、垂直に立つミラーは含まない。角度付けられたミラーのマウントに用いられる標準的な技法は、重力に依存して、ミラーを、設置されているブラケットに対して保持する。この構成は、垂直のミラーには作用しない。何故なら、重力は、垂直のミラーを、マウンティングブラケットに対して保持しないからである。
【発明の開示】
【発明が解決しようとする課題】
【０００５】
本発明は、キャビネットを備えた投写型ディスプレイを提供することを目的とする。
【課題を解決するための手段】
【０００６】
キャビネットは、外側面及び内側面を備えた背壁、キャビネットを支持する２つの支持アームを有し、２つの支持アームは、キャビネットの背壁の外側面に沿って垂直に延在し且つミラーの幅と略等しい距離の分、離間する。キャビネットは、ミラーを設置するための支持アームに近接した背壁の内側面に形成される４つの隆起パッドを有し、且つミラーは、４つのパッドに対してバイアスがかけられて、それにより垂直位置に保持される。
【発明を実施するための最良の形態】
【０００７】
本発明の好ましい実施形態を、添付の図面を参照しながら、説明する。
【０００８】
図１乃至図４に示される本発明は、テレビジョンキャビネット１０からなり、キャビネット１０内には、ミラー２２が、垂直に立っている。キャビネット１０は、２つの構造上のレールすなわち支持アーム１２を有し、支持アーム１２は、キャビネット１０の背壁の外側面に沿って垂直に延在している。これら２つの支持アーム１２は、略垂直ミラー２２の幅の分だけ離される。支持アーム１２はまた、キャビネット１０を、スタンド１４又は壁ブラケット（図示せず）へマウントするために用いられる。これら２本の支持アーム１２が延在するキャビネット１０の領域群が、剛性の構造部材で適切に支持される唯一の領域群である。スクリーン（図示せず）が、キャビネット１０の前部へマウントされている。使用される際、像が、ミラー２２に反射してスクリーン上に届く。
【０００９】
ミラー２２は、固有の平面度（inherent  flatness）を提供する方法で作製される。たとえば、フロートガラス工程を用いることができる。ここでは、熱いガラスが、高濃度の液体の上に注がれ、それによって、ガラスが、支持安定剤等からの残留応力がない平坦な状態に冷却される。例示的な実施形態において、ミラーは、長方形の形状であり、４つの角部を有する。
【００１０】
スクリーン上に投影される像の変形を引き起こし得る応力が、ミラー２２内へ導入されることを防ぐため、ミラー２２は、支持アーム１２に近接する４つの個別のポイントでキャビネット１０に固着される。４つの個別のポイントで固着することにより、誤差が堆積してしまう（tolerance  stack-up）問題及びプラスチックキャビネットの反りによって誘発される応力を低減させる。ミラー２２は、ミラー２２の角部でキャビネットへ固着され、且つキャビネット１０に形成された４つの隆起パッド１６によって支持アーム１２に近接する。これらの４つの隆起パッド１６は、上記背壁の内側面上に、キャビネット１０の背壁の背後に支持アーム１２が延在する領域に略わたって形成される。隆起パッド１６は、比較的小さな表面領域を提供するが、その表面領域は、キャビネット１０の反りによる移動に影響を受けない。何故なら、隆起パッド１６は、剛性の支持アーム１２に近接するからである、更に、これらの支持パッドは、パッドが有するサイズ及び位置のため、比較的狭い寸法で提供されることができる。このことは、重要である。何故なら、４つのパッドがあるものの、３つのポイントのみが必要とされて平面を画定するからである。このように、パッド１６の平面からの少しのずれも、ミラーにおける応力を誘発し、スクリーン上に投影される像の変形及び劣化につながる。
【００１１】
ミラーを垂直方向に維持するため、ミラー２２は、４つのパッド１６に対してバイアスがかけられる。４つのパッド１６は、パッド１６の中間にある面と比べて隆起し、それによって、ミラーは、４つのパッド１６でのみ拘束される。パッド１６の中間の領域は、十分に窪められて、投写型ディスプレイの通常操作時にミラー２２と接触されないようにする。しかしながら、パッド１６が隆起されたことによる寸法は、十分に小さく、これら中間面がミラー２２の偏向を制限することを可能にし、ミラーの落下又は落下試験といった衝撃に耐える力を向上させる。例示的な実施形態において、パッド１６は、ミラー２２の短い側部に沿ったキャビネット壁の中間面より１ｍｍ乃至２ｍｍ上の高さまで隆起し、且つパッド１６は、ミラー２２の長い側部に沿ったキャビネット壁の中間面より２ｍｍ乃至３ｍｍ上の高さまで隆起する。
【００１２】
例示的な実施形態において、ミラー２２は、複数の弾性的な圧縮性部材(resiliently  compressible  members)２６によって、パッド１６に対してバイアスがかけられる。弾性的な圧縮性部材２６は、例示的な実施形態において複数のフォームクッションを含むが、プラスチックばねのような他の構造もまた可能である。弾性的な圧縮性部材２６は、ミラーに対してパッド１６の反対側に位置付けられ、且つミラー２２又はミラー２２の拘束に用いるブラケット２３へ接着されることができる。弾性的な圧縮性部材２６は、たとえば、のり又は粘着剤によって接着されてもよい。
【００１３】
ブラケット３２は、弾性的な圧縮性部材２６上に横たわり且つ弾性的な圧縮性部材２６を圧縮するよう、キャビネット１０へ固定する。弾性的な圧縮性部材２６は、ミラー２２の４つの角部で、ミラー２２を弾性的に抑制する。ブラケット３２は、一体構造であっても又は複数の構造用部品を含んでもよい。ミラー２２は、支持アーム１２に近接する背壁の内側面上に形成された４つの個別の隆起パッド１６と、対応して設置された弾性的な圧縮性部材２６との間に挟まれる。ミラー２２の下縁部が、各支持アームに近接する複数のパッド（図示せず）によって局所的に支持される。
【００１４】
垂直に立つミラー２２のマウントシステムは、固有の平面度を有するフロートガラスミラーが、支持アーム１２から支持アーム１２へとキャビネット１０をまたぐことを可能にする。４つの精密なパッド１６を、支持アーム１２にわたって成形することによって、ミラーの良好な位置付けを、達成する。弾性的な圧縮性部材２６は、ばねとして働いて、誤差を取り除き且つミラー２２を、成形されたキャビネットパッド１６に対して事前に搭載する。ミラー２２の下縁部は、各端部で短いプラスチックパッド上に置かれるのみであってもよく、それによりミラー２２が、反ったプラスチックによる悪影響を受けることなく自由に掛かること（span）ができる。本発明は、低コストのミラーマウントシステムを提供し、そのシステムは、誤差が堆積してしまう問題を最小にし且つミラー固有の平面度を利用することを可能にする。
【００１５】
上記は、本発明を実施するにあたって幾つかの可能性を示したものである。多くの他の実施形態が、本発明の精神及び範囲内で可能である。したがって、上記の説明は限定というよりも例示としてとらえるよう意図され、且つ本発明の範囲は、添付の請求項によって、あらゆる範囲の等価物とともに与えられる。
【図面の簡単な説明】
【００１６】
【図１】本発明の例示的な一実施形態による投写型ディスプレイ用キャビネットの斜視の正面図を示す。
【図２】明瞭にするためにブラケットを省略した、図１のキャビネットの正面図である。
【図３】ミラー及びブラケットを備えた図１のキャビネット組立体の分解した斜視の正面図である。
【図４】図３の組立体の断面図である。
【図１】
2007535874.tif 000003
【図２】
2007535874.tif 000004
【図３】
2007535874.tif 000005
【図４】
2007535874.tif 000006
【国際調査報告】
2007535874.tif 000007
2007535874.tif 000008
2007535874.tif 000009